(57)【特許請求の範囲】
【請求項１】
無線基地局から送信されるＰａｇｉｎｇ信号と無線基地局から報知される報知情報とに基づいて同報配信の開始および終了をメッセージ配信の都度、移動通信端末に通知するセルブロードキャストによる同報配信システムに用いられ、前記メッセージの配信側からの要求に応じて受信チャネルの設定および解除を行う移動通信端末であって、
前記配信側からの要求によって受信チャネルが設定されている状態において、同報配信の終了に係るＰａｇｉｎｇ信号を検出できなかった場合に、前記無線基地局から報知される同報配信の終了に係る報知情報の有無を確認する報知情報受信確認手段と、該報知情報受信確認手段によって同報配信の終了に係る報知情報が有ると確認された場合に、前記受信チャネルを解除するチャネル解除手段と、を有することを特徴とする移動通信端末。
【請求項２】
前記報知情報受信確認手段は、所定時間内に同報配信の終了に係るＰａｇｉｎｇ信号を検出できなかった場合に報知情報の有無を確認し、報知情報が無い場合は報知情報の有無を繰り返し確認することを特徴とする請求項１に記載の移動通信端末。
【請求項３】
無線基地局から送信されるＰａｇｉｎｇ信号と無線基地局から報知される報知情報とに基づいて同報配信の開始および終了をメッセージ配信の都度、移動通信端末に通知するセルブロードキャストによる同報配信システムであって、
前記メッセージの配信側からの要求によって前記移動通信端末に受信チャネルが設定されている状態において、同報配信の終了に係るＰａｇｉｎｇ信号を検出できなかった場合に、前記無線基地局から報知される同報配信の終了に係る報知情報の有無を確認する報知情報受信確認手段と、該報知情報受信確認手段によって同報配信の終了に係る報知情報が有ると確認された場合に、前記移動通信端末の受信チャネルを解除するチャネル解除手段と、を有することを特徴とする同報配信システム。
【請求項４】
無線基地局から送信されるＰａｇｉｎｇ信号と無線基地局から報知される報知情報とに基づいて同報配信の開始および終了をメッセージ配信の都度、移動通信端末に通知するセルブロードキャストによる同報配信方法であって、
前記メッセージの配信側からの要求によって前記移動通信端末が受信チャネルを設定するステップと、前記配信側からの要求によって受信チャネルが設定されている状態において、同報配信の終了に係るＰａｇｉｎｇ信号を検出できなかった場合に、前記無線基地局から報知される同報配信の終了に係る報知情報の有無を確認するステップと、前記報知情報の確認によって同報配信の終了に係る報知情報が有ると確認された場合に、前記受信チャネルを解除するステップと、を含むことを特徴とする同報配信方法。
【発明の詳細な説明】
【技術分野】
【０００１】
本発明は、一定のエリアに在圏している移動通信端末全体に向けてメッセージ配信をする同報配信システム、それに用いられる移動通信端末、同報配信方法に関する。
【背景技術】
【０００２】
近年、セルブロードキャストサービス（Cell  Broadcast  Service）等による同報配信において、移動通信網を利用して緊急地震情報や広告の配信を複数の移動通信端末に行う技術が発達してきている。例えば特許文献１には、地震監視サーバから緊急地震情報が送信されたとき、この緊急地震情報を地震情報配信サーバにおいてフォーマット変換して、移動通信端末へ同報配信する技術が開示されている。
【特許文献１】特開２００７−４７９３６号公報
【発明の開示】
【発明が解決しようとする課題】
【０００３】
ところで、通常、移動通信端末側は、Ｐａｇｉｎｇ信号や報知情報を受信して同報配信の開始および終了を認識することができる。
しかしながら、同報配信の終了通知の契機となる報知情報、もしくはその報知情報の変更を通知するＰａｇｉｎｇ信号などは、無線基地局から無線で移動通信端末に送信される。そのため、無線品質が悪い場合には、これら情報を移動通信端末側が取りこぼす（つまり、受信できない）おそれがある。
【０００４】
このような問題点は、特に無線品質の悪化が懸念される災害時の同報配信においては考慮すべき重要な課題であり、このような取りこぼしが生じた場合、移動通信端末側での同報配信終了の認識が遅れることになる。そのため、例えばタイムアウト等で同報配信終了とみなすまでの間、既に同報配信が終了しているにも関わらず、移動通信端末側では受信用のチャネルを継続的に設定したままとなってしまう。したがって、移動通信端末側では、同報配信メッセージを受信するための受信チャネルを無駄に設定し続けることにより、移動通信端末が不必要な電力を消費することとなる。特に、災害発生等の非常時においては、充電環境が十分に確保されるとは限らないため、平常時以上に極めて重要な問題である。
【０００５】
そこで、本発明は、このような問題点に着目してなされたものであって、セルブロードキャスト等による同報配信において、同報配信の開始と終了をメッセージ配信の都度通知する運用の場合に、配信終了の通知を無線品質等の理由により移動通信端末が正常に検出できなかった場合であっても、同報配信終了時に遅延を最小限に抑えて通信を終了し、配信終了後の移動通信端末側での無駄な電力消費を抑制できる、移動通信端末および同報配信システム並びに同報配信方法を提供することを目的としている。
【課題を解決するための手段】
【０００６】
上記課題を解決するために、本発明のうち第一の発明は、無線基地局から送信されるＰａｇｉｎｇ信号と無線基地局から報知される報知情報とに基づいて同報配信の開始および終了をメッセージ配信の都度、移動通信端末に通知するセルブロードキャストによる同報配信システムに用いられ、前記メッセージの配信側からの要求に応じて受信チャネルの設定および解除を行う移動通信端末であって、前記配信側からの要求によって受信チャネルが設定されている状態において、同報配信の終了に係るＰａｇｉｎｇ信号を検出できなかった場合に、前記無線基地局から報知される同報配信の終了に係る報知情報の有無を確認する報知情報受信確認手段と、該報知情報受信確認手段によって同報配信の終了に係る報知情報が有ると確認された場合に、前記受信チャネルを解除するチャネル解除手段と、を有することを特徴としている。
【０００７】
第一の発明に係る移動通信端末によれば、報知情報受信確認手段およびチャネル解除手段を備えており、報知情報受信確認手段は、配信側からの要求で受信チャネルが設定された後に、同報配信の終了に係るＰａｇｉｎｇ信号を検出できなかった場合に、無線基地局から報知される同報配信の終了に係る報知情報の有無を確認し、さらに、チャネル解除手段は、報知情報受信確認手段による報知情報の確認に基づいて、報知情報受信確認手段によって同報配信の終了に係る報知情報が有ると確認された場合に、受信チャネルを解除するので、仮に通信等の障害で配信終了を移動通信端末が正常に検出できなかった場合であっても、同報配信終了時に遅延を最小限に抑えて通信を終了することができる。したがって、配信終了後の移動通信端末側での無駄な電力消費を抑制することができる。
【０００８】
ここで、第一の発明に係る移動通信端末において、前記報知情報受信確認手段は、所定時間内に同報配信の終了に係るＰａｇｉｎｇ信号を検出できなかった場合に報知情報の有無を確認し、報知情報が無い場合は報知情報の有無を繰り返し確認することは好ましい。このような構成であれば、仮に通信に障害が生じる蓋然性が高い場合であっても、同報配信終了時に遅延を最小限に抑えて通信を終了すべく、報知情報を取得する上で好適である。
【０００９】
また、本発明のうち第二の発明は、無線基地局から送信されるＰａｇｉｎｇ信号と無線基地局から報知される報知情報とに基づいて同報配信の開始および終了をメッセージ配信の都度、移動通信端末に通知するセルブロードキャストによる同報配信システムであって、前記メッセージの配信側からの要求によって前記移動通信端末に受信チャネルが設定されている状態において、同報配信の終了に係るＰａｇｉｎｇ信号を検出できなかった場合に、前記無線基地局から報知される同報配信の終了に係る報知情報の有無を確認する報知情報受信確認手段と、該報知情報受信確認手段によって同報配信の終了に係る報知情報が有ると確認された場合に、前記移動通信端末の受信チャネルを解除するチャネル解除手段と、を有することを特徴としている。
第二の発明に係る同報配信システムによれば、上記第一の発明の報知情報受信確認手段およびチャネル解除手段同様の報知情報受信確認手段およびチャネル解除手段を備えているので、同報配信終了時に遅延を最小限に抑えて通信を終了し、配信終了後の移動通信端末側での無駄な電力消費を抑制することができる。
【００１０】
また、本発明のうち第三の発明は、無線基地局から送信されるＰａｇｉｎｇ信号と無線基地局から報知される報知情報とに基づいて同報配信の開始および終了をメッセージ配信の都度、移動通信端末に通知するセルブロードキャストによる同報配信方法であって、前記メッセージの配信側からの要求によって前記移動通信端末が受信チャネルを設定するステップと、前記配信側からの要求によって受信チャネルが設定されている状態において、同報配信の終了に係るＰａｇｉｎｇ信号を検出できなかった場合に、前記無線基地局から報知される同報配信の終了に係る報知情報の有無を確認するステップと、前記報知情報の確認によって同報配信の終了に係る報知情報が有ると確認された場合に、前記受信チャネルを解除するステップと、を含むことを特徴としている。
【００１１】
第三の発明に係る同報配信方法によれば、配信側からの要求で受信チャネルが設定された後に、同報配信の終了に係るＰａｇｉｎｇ信号を検出できなかった場合に、無線基地局から報知される同報配信の終了に係る報知情報の有無を確認し、報知情報の確認によって同報配信の終了に係る報知情報が有ると確認された場合に、受信チャネルを解除するので、上記第一ないし第二の発明同様に、同報配信終了時に遅延を最小限に抑えて通信を終了することができる。したがって、配信終了後の移動通信端末側での無駄な電力消費を抑制することができる。
【発明の効果】
【００１２】
上述のように、本発明によれば、同報配信の開始および終了を、メッセージ配信の都度通知する運用の場合において、同報配信の終了に係るＰａｇｉｎｇ信号を検出できなかった場合に、無線基地局から報知される同報配信の終了に係る報知情報の有無を確認し、報知情報の確認によって同報配信の終了に係る報知情報が有ると確認された場合に、受信チャネルを解除するので、配信終了の通知を無線品質等の理由により移動通信端末が正常に検出できなかった場合であっても、無駄に受信用のチャネルを設定し続けることを回避することができる。したがって、配信終了後の移動通信端末の無駄な電力消費を抑制することができる。
【発明を実施するための最良の形態】
【００１３】
以下、本発明の一実施形態について、図面を適宜参照しつつ説明する。
（システムの構成例）
図１は、本発明に係る同報配信システムの一実施形態の構成例を示すブロック図である。
同図に示すように、この同報配信システムは、無線サービスエリア１０（１０ａ、１０ｂ…１０ｄ）をそれぞれ形成するための無線基地局（ＢＴＳ：Base Transceiver Station）２（２ａ、２ｂ、…２ｃ、２ｄ）と、無線基地局２ａ、２ｂ…２ｃ、２ｄに対応して設けられ、対応する無線基地局の制御を行う基地局制御装置（ＲＮＣ：Radio Network Controller）３（３ａ、３ｂ）と、回線交換処理やパケット交換処理を行う交換機４と、情報源７から入力される情報を一定のエリアに在圏している移動通信端末全体に向けて配信するためのセルブロードキャストセンタ（ＣＢＣ：Cell Broadcast Centre）６と、を含んで構成されている。
【００１４】
移動通信端末（ＵＥ：User Equipment）１は、無線サービスエリアに在圏している場合に、セルブロードキャスト（Cell Broadcast Service）による同報配信サービスの提供を受けることができる。なお、交換機４は、一般に、ＳＧＳＮ（Serving GPRS Support Node）と呼ばれる装置である。また、情報源７は、例えば、地震情報、津波情報、台風情報などの災害情報を提供するサーバ装置や、買い物のための特売情報を提供するサーバ装置などである。
【００１５】
（セルブロードキャスト）
次に、この同報配信システムで、情報がセルブロードキャスト（以下、適宜「ＣＢＳ」と略称する）で配信される場合の処理について図２を参照して説明する。なお、同図は、無線基地局２ａに対応する無線サービスエリアに移動通信端末１ａが在圏し、無線基地局２ｂに対応する無線サービスエリアに移動通信端末１ｂ、１ｃが在圏している例である。
本例において、セルブロードキャストセンタ６から交換機４を経由して、基地局制御装置３ａ、３ｂまでの間の通信は、３ＧＰＰ TS25.419に規定されているＳＡＢＰ（Service Area Broadcast Protocol）に従って行われる。また、基地局制御装置３ａ、３ｂから無線基地局２ａ、２ｂを経由して、各移動通信端末１（１ａ、１ｂ、１ｃ）までの間の通信は、３ＧＰＰ TS25.324に規定されているＢＭＣ（Broadcast/Multicast Control）に従って行われる。
【００１６】
同図において、情報源７からセルブロードキャストセンタ６へ災害情報などについての配信要求が送信される（ステップＳ１０１）。すると、この配信要求を受信したセルブロードキャストセンタ６から情報源７へ応答が返信される（ステップＳ１０２）。
その後、セルブロードキャストセンタ６から基地局制御装置に向けて、Write-Replace Messageが送信される（ステップＳ１０３）。このWrite-Replace Messageは、送信対象の基地局制御装置の台数分送信される。本例では、基地局制御装置３ａが送信対象であり、基地局制御装置３ｂは送信対象になっていない。このため、交換機４から基地局制御装置３ａへ、Write-Replace Messageが転送される（ステップＳ１０３'）。この場合、Write-Replace Messageが透過転送される。
【００１７】
そして、このWrite-Replaceメッセージを受信した基地局制御装置３ａでは、配信先が決定され、Paging Type1 Message、つまりＰａｇｉｎｇ信号が送信される（ステップＳ１０４）。次に、報知情報更新のためのSystem Information Update Requestが基地局制御装置３ａから無線基地局２ａ、２ｂへ送信される（ステップＳ１０５）。すると、報知情報が各移動通信端末１ａ、１ｂ、１ｃへ報知される（ステップＳ１０６）。
【００１８】
これにより移動通信端末１ａ、１ｂ、１ｃ側では、無線基地局２ａ、２ｂからの要求で受信チャネルが設定され、BMC Schedule Messageが移動通信端末１ａ、１ｂ、１ｃへ送信された後（ステップＳ１０７）、BMC CBS Messageが移動通信端末１ａ、１ｂ、１ｃへ送信される（ステップＳ１０８）。これを受信した移動通信端末１ａ、１ｂ、１ｃでは、ＣＢＳメッセージの内容を自身の表示部に表示する。なお、本例において、ＣＢＳメッセージは、基地局制御装置３ａから無線基地局２ｂまではユニキャストで送信され、無線基地局２ｂから移動通信端末１ｂ、１ｃまではマルチキャストで送信される。
【００１９】
その後、メッセージの送信結果報告であるWrite-Replace Complete/failureが基地局制御装置３ａからセルブロードキャストセンタ６に向けて送信される（ステップＳ１０９）。このWrite-Replace Complete/failureは、交換機４を経由し、セルブロードキャストセンタ６において受信される（ステップＳ１０９'）。セルブロードキャストセンタ６は、送信対象の基地局制御装置の台数分のWrite-Replace Complete/failureを受信することになる。
【００２０】
以上のように、ＣＢＳを用いて配信すれば、災害情報や緊急情報を移動通信端末に効率的に伝えることができる。
上述の同報配信システムは、配信側の無線基地局２から移動通信端末１への同報配信の開始と終了を、ＣＢＳメッセージをメッセージ配信する都度通知する運用がなされるものである。ここで、この同報配信システムで用いられる移動通信端末１は、無線基地局２からの要求で受信チャネルを設定した後に、自発的に無線基地局２からの通知の確認を行い、この通知の確認によって当該受信チャネルを解除すべき情報を取得したら当該受信チャネルを解除するという同報配信処理を実行するようになっている。
【００２１】
（移動通信端末の構成例）
以下、上記移動通信端末１の構成例について詳しく説明する。なお、図３は、図１ないし図２中の移動通信端末１の構成例を示すブロック図である。
図３に示すように、この移動通信端末１は、各種の情報を記憶する記憶部であるメモリ１１と、上記同報配信システムのネットワークと接続することによって無線基地局２との通信を行う無線通信制御部１２と、ユーザの操作によって各種の情報を入力するための操作部１３と、各種の情報を画面に表示するための表示部であるディスプレイ１４と、上記同報配信処理を含む所定のプログラムを実行するとともに装置内の各部を制御するＣＰＵを含む同報配信処理部１５とを有して構成され、これらは、データを転送するための信号線であるバス１６で相互にかつデータ授受可能に接続されている。
【００２２】
（同報配信処理の例）
次に、上記同報配信処理の一例について説明する。なお、図４は、この移動通信端末１での同報配信処理の流れを示すフローチャートである。また、図５はこの同報配信処理中に参照されるパラメータ設定テーブルの一例を示す図である。
この同報配信処理は、配信側の無線基地局２から移動通信端末１への同報配信の開始から終了までの間実行される一連の処理であって、上記同報配信処理部１５において実行されると、図４に示すように、まず、ステップＳ１に移行する。ステップＳ１では、「受信チャネルを設定すべき情報」の受信の有無を判定し、上述した、同報配信の開始の契機となる報知情報が有りと判定したとき（Ｙｅｓ）は、ステップＳ２に移行するが、そうでないと判定したとき（Ｎｏ）は元の処理に戻る。
【００２３】
そして、ステップＳ２では、同報配信用の受信チャネルを設定（チャネルオープン）してステップＳ３に移行し、ステップＳ３では、タイマＴをリセット（Ｔ＝０）してステップＳ４に移行する。続くステップＳ４では、上記ＣＢＳメッセージの受信に必要な一連の処理を行う。続くステップＳ５では、メモリ１１に格納される、図５に示すパラメータ設定テーブルを参照して所定時間ｔを設定し、上記タイマＴが所定時間ｔに到達したか否かを判定する。その結果、タイマＴが所定時間ｔに到達していれば（Ｙｅｓ）、ステップＳ６に移行し、そうでなければ（Ｎｏ）ステップＳ５で待機する。
【００２４】
ステップＳ６では、無線基地局側からの同報配信の終了に係る配信通知、つまり、「受信チャネルを解除すべき情報」の有無を確認する。すなわち、同報配信の終了の契機となる報知情報が確認されたときには（Ｙｅｓ）、ステップＳ７に移行し、そうでないとき（Ｎｏ）はステップＳ３に処理を戻す。ステップＳ７では同報配信用の受信チャネルを解除（チャネルクローズ）して元の処理に復帰する。ここで、上記パラメータ設定テーブルで設定する所定時間ｔは、同報配信の終了通知の契機となる報知情報をチェックする周期を設定するものであって、既定値として例えば２分が設定されている。また、所定時間ｔとしては、例えば０，１，２，３，・・・，１４等を有効な値として設定可能になっている。なお、この同報配信処理でのステップＳ６ないしステップＳ７が、上記課題を解決するための手段に記載の「報知情報受信確認手段」および「チャネル解除手段」に対応している。
【００２５】
（システムの動作例）
次に、この移動通信端末１およびこれを含む同報配信システムの動作例について説明する。なお、図６はこの同報配信システムの動作例を示すシーケンス図である。同シーケンス図には、無線基地局２と移動通信端末１とによる信号授受が示されている。
同図において、メッセージの配信側である無線基地局２側から移動通信端末１に、上述同様、同報配信の開始の契機となる報知情報や、その報知情報の変更を通知するＰａｇｉｎｇ信号が送信されると（ステップＳ１０４、Ｓ１０６）、これにより移動通信端末１は受信チャネルを設定するとともに（ステップＳ２）、内部のタイマＴをリセット（ステップＳ３）する。そして、無線基地局２側からＣＢＳメッセージＡが配信され（ステップＳ１０８）。これを受信した移動通信端末１は、ＣＢＳメッセージＡの内容を表示部であるディスプレイ１４に表示する（ステップＳ２００）。
【００２６】
その後、この移動通信端末１は、内部のタイマＴが所定時間ｔに到達したら、無線基地局２側からの同報配信の終了に係る通知を確認する（ステップＳ６）。このとき、同図に示すように、配信終了の通知となる、報知情報の変更を通知するＰａｇｉｎｇ信号を、例えば無線品質等の理由により移動通信端末が正常に検出できなかった場合（ステップＳ２０１）、同報配信用の受信チャネルは、設定（チャネルオープン）状態が維持され続けることになる（ステップＳ２）。
【００２７】
このとき、この移動通信端末１は、無線基地局２側からの通知の確認を、定期的に繰り返し行う（ステップＳ６）。つまり、この移動通信端末１は、タイマＴが所定時間ｔに到達したときに、無線基地局２側からの同報配信の終了に係る通知を繰り返し確認する（ステップＳ６）。これにより、この移動通信端末１は、同図に示すように、同報配信の終了の契機となる報知情報を取得したら（ステップＳ２０２）、同報配信用の受信チャネルを解除（チャネルクローズ）する（ステップＳ７）。
【００２８】
このように、この移動通信端末１によれば、無線基地局２側からの要求で受信チャネルが設定された後に、無線基地局２側からの通知の確認を自発的に行い（ステップＳ６）、さらに、その通知の確認に基づいて、当該受信チャネルを解除すべき情報が取得されたときに、当該受信チャネルを解除するので（ステップＳ６〜ステップＳ７）、仮に通信等の障害で配信終了を正常に検出できなかった場合であっても、同報配信終了時に遅延を最小限に抑えて通信を終了することができる。したがって、配信終了後の移動通信端末１側での無駄な電力消費を抑制することができる。
【００２９】
これに対し、例えば図７に比較例として示すように、上記同報配信処理を有しないものでは、通信等の障害で配信終了を正常に検出できなかった場合、受信チャネルは、設定（チャネルオープン）状態が維持され続け、同報配信終了後も通信を終了できない。したがって、この比較例では、配信終了後も、移動通信端末側で無駄な電力が消費されてしまう。
【００３０】
さらに、本発明に係る、この移動通信端末１によれば、無線基地局２側への通知の確認を、所定周期で（所定時間ｔ毎に）繰り返すようになっているので、仮に通信に障害が生じる蓋然性が高い場合であっても、同報配信終了時に遅延を最小限に抑えて通信を終了することができる。
また、この移動通信端末１によれば、移動通信網の同報配信の基盤として、セルブロードキャストに適用されているので、移動通信網を利用して緊急地震情報や広告の配信を複数の移動通信端末に行う上で好適である。
【００３１】
さらに、上述した同報配信システムによれば、上記移動通信端末１を備えているので、同報配信終了時に遅延を最小限に抑えて通信を終了し、配信終了後の移動通信端末側での無駄な電力消費を抑制する同報配信システムとして好適である。
さらにまた、この同報配信システムでの同報配信方法は、無線基地局２側からの要求で移動通信端末１が受信チャネルを設定した後に、移動通信端末１が自発的に無線基地局２側からの配信通知を確認し、該配信通知の確認によって当該受信チャネルを解除すべき情報を移動通信端末１が取得したら当該受信チャネルを解除するという方法が採用されているから、同報配信終了時に遅延を最小限に抑えて通信を終了し、配信終了後の移動通信端末側での無駄な電力消費を抑制する同報配信方法として好適である。
【００３２】
以上説明したように、この移動通信端末１、およびこの移動通信端末１を含む同報配信システム並びに同報配信方法によれば、配信終了の通知を無線品質等の理由により移動通信端末１が正常に検出できなかった場合であっても、同報配信終了時に遅延を最小限に抑えて通信を終了し、配信終了後の移動通信端末側での無駄な電力消費を抑制することができる。
なお、本発明に係る移動通信端末および同報配信システム並びに同報配信方法は、上記実施形態に限定されるものではなく、本発明の趣旨を逸脱しなければ種々の変形が可能なことは勿論である。
【００３３】
例えば、上記実施形態では、同報配信がセルブロードキャストである例で説明したが、これに限らず、種々の同報配信に適用することができる。
また、例えば上記実施形態では、移動通信端末１は、無線基地局２側からの通知の確認を、所定周期で繰り返し行う例を説明したが、これに限らず、例えば一定に限らず不定期であってもよいし、また、例えば予め設定された一または複数回だけ通知の確認を実行してよいし、また、通知の確認に対してタイムアウトの設定をし、所定の時間内に受信チャネルを解除すべき情報が取得されない場合には、当該受信チャネルを解除するという処理を更に組み合わせてもよい。
【図面の簡単な説明】
【００３４】
【図１】本発明に係る同報配信システムの一実施形態の構成例を示すブロック図である。
【図２】本発明に係る同報配信システムでの処理例の流れを示すシーケンス図である。
【図３】図１中の移動通信端末の構成例を示すブロック図である。
【図４】図１中の移動通信端末での同報配信処理の一例を示すフローチャートである。
【図５】同報配信処理中に参照されるパラメータ設定テーブルの一例を示す図である。
【図６】本発明に係る同報配信システムでの処理例の流れを示すシーケンス図である。
【図７】従来の同報配信システムでの処理例の流れを示すシーケンス図である。
【符号の説明】
【００３５】
１（１ａ、１ｂ、１ｃ）    移動通信端末
２（２ａ、２ｂ、２ｃ、２ｄ）    無線基地局
３（３ａ、３ｂ）    基地局制御装置
４    交換機
６    セルブロードキャストセンタ
７    情報源
１５    同報配信処理部
【図１】
0005172462.tif 000002
【図２】
0005172462.tif 000003
【図３】
0005172462.tif 000004
【図４】
0005172462.tif 000005
【図５】
0005172462.tif 000006
【図６】
0005172462.tif 000007
【図７】
0005172462.tif 000008